(57)【要約】【課題】帳票イメージを参照して行うデータ入力を容易にする、データ入力装置、データ入力方法、データ入力プログラムおよびデータ入力システムを提供するものである。【解決手段】データ入力装置であるエントリＰＣ３３は、データ入力対象の帳票イメージを表示する表示部１０１と、前記帳票イメージ上のデータの入力を受け付ける入力部１０２と、前記帳票イメージ上に入力対象データ位置を示すガイドバーを任意の角度で配置するガイドバー配置部１０４ａと、前記ガイドバーが水平になるように前記帳票イメージを回転するイメージ回転部１０４ｂとを備える。【選択図】図２
2020140293.tif 000002
【特許請求の範囲】
【請求項１】
データ入力対象の帳票イメージを表示する表示部と、
前記帳票イメージ上のデータの入力を受け付ける入力部と、
前記帳票イメージ上に入力対象データ位置を示すガイドバーを任意の角度で配置するガイドバー配置部と、
前記ガイドバーが水平になるように前記帳票イメージを回転するイメージ回転部と、
を備えることを特徴とするデータ入力装置。
【請求項２】
前記イメージ回転部は、帳票イメージの回転とともに前記ガイドバーを回転させ、帳票イメージに対する前記ガイドバーの位置が回転前後で同じである、
ことを特徴とする請求項１に記載のデータ入力装置。
【請求項３】
前記帳票イメージは、連記式帳票を撮影したものである、ことを特徴とする請求項１または請求項２に記載のデータ入力装置。
【請求項４】
前記イメージ回転部は、前記ガイドバーの配置の完了指示によって前記帳票イメージを回転する、
ことを特徴とする請求項１ないし請求項３の何れか一項に記載のデータ入力装置。
【請求項５】
前記ガイドバー配置部は、前記イメージ回転部による前記帳票イメージの回転前に、角度調整指示を受けて前記ガイドバーの角度調整を行う、
ことを特徴とする請求項１ないし請求項４の何れか一項に記載のデータ入力装置。
【請求項６】
前記ガイドバーは、一対をなしており、
前記ガイドバー配置部は、一方のガイドバーへの角度調整指示を受けることにより、両方のガイドバーの角度調整を行う、
ことを特徴とする請求項５に記載のデータ入力装置。
【請求項７】
前記データの入力の完了によって前記ガイドバーの間隔分だけ前記両方のガイドバーの位置を移動するガイドバー移動部を有する、
ことを特徴とする請求項６に記載のデータ入力装置。
【請求項８】
帳票のデータ入力方法であって、
データ入力対象の帳票イメージを表示する表示ステップと、
前記帳票イメージ上に入力対象データ位置を示すガイドバーを任意の角度で配置するガイドバー配置ステップと、
前記ガイドバーが水平になるように前記帳票イメージを回転するイメージ回転ステップと、
前記帳票イメージ上のデータの入力を受け付ける入力ステップと、
を有することを特徴とするデータ入力方法。
【請求項９】
請求項８に記載のデータ入力方法を、データ入力装置を制御するコンピュータに実行させるデータ入力プログラム。
【請求項１０】
請求項１ないし請求項７の何れか一項に記載のデータ入力装置と、
前記帳票イメージを前記データ入力装置に配信するサーバと、を備える、
ことを特徴とするデータ入力システム。
【発明の詳細な説明】
【技術分野】
【０００１】
本発明は、データ入力装置、データ入力方法、データ入力プログラムおよびデータ入力システムに関する。
【背景技術】
【０００２】
銀行等の金融機関では、各営業店において多数発生する為替取引を集中センタで集中的に処理するシステム（以下、「為替集中処理システム」と呼ぶ）が知られている。この為替集中システムは、例えば、営業店で行員がスキャナを用いて帳票イメージを作成し、集中センタでオペレータが帳票イメージを参照して帳票データのエントリ／ベリファイ（二重での入力）を行う。そして、エントリ／ベリファイ後の帳票データをホストコンピュータに送信し、ホストコンピュータで帳票データに基づいた決済処理を行う。
【０００３】
従来、帳票データのエントリに関して、帳票イメージにデータ入力用のガイドバーを重畳表示する技術が提案されている（特許文献１参照）。特許文献１に記載される技術では、ガイドバーの位置を指定する場合に、縦に連続して並ぶデータに対して最初のデータの上部と最後のデータの下部の位置を指定し、その距離をデータ数で割ることにより１件ごとのガイドバーの移動量を算出している。
【先行技術文献】
【特許文献】
【０００４】
【特許文献１】特開２０１４−２３２４９３号公報
【発明の概要】
【発明が解決しようとする課題】
【０００５】
ここで、特許文献１に記載される技術は、営業店で行員が帳票イメージを作成する際に、スキャナを用いて帳票を正しく読み取ることを前提としていた。しかしながら、行員が手作業で帳票イメージの作成を行うので、帳票を傾けた状態で読み取ってしまう場合があった。その場合、特許文献１に記載される技術では帳票イメージの傾きについて考慮されていないので、帳票イメージの傾きの修正を行うことができず、帳票イメージを参照して行うデータ入力に不便を感じるという問題があった。
【０００６】
本発明は、前記問題に鑑みてなされたものであり、帳票イメージを参照して行うデータ入力を容易にする、データ入力装置、データ入力方法、データ入力プログラムおよびデータ入力システムを提供するものである。
【課題を解決するための手段】
【０００７】
前記課題を解決するため、本発明の一態様に係るデータ入力装置は、データ入力対象の帳票イメージを表示する表示部と、前記帳票イメージ上のデータの入力を受け付ける入力部と、前記帳票イメージ上に入力対象データ位置を示すガイドバーを任意の角度で配置するガイドバー配置部と、前記ガイドバーが水平になるように前記帳票イメージを回転するイメージ回転部と、を備えることを特徴とする。
【０００８】
また、本発明の一態様に係るデータ入力方法は、帳票のデータ入力方法であって、データ入力対象の帳票イメージを表示する表示ステップと、前記帳票イメージ上に入力対象データ位置を示すガイドバーを任意の角度で配置するガイドバー配置ステップと、前記ガイドバーが水平になるように前記帳票イメージを回転するイメージ回転ステップと、前記帳票イメージ上のデータの入力を受け付ける入力ステップと、を有することを特徴とする。
【０００９】
また、本発明の一態様に係るデータ入力プログラムは、上記データ入力方法を、データ入力装置を制御するコンピュータに実行させるデータ入力プログラムである。
【００１０】
また、本発明の一態様に係るデータ入力システムは、上記データ入力装置と、前記帳票イメージを前記データ入力装置に配信するサーバと、を備えることを特徴とする。
【発明の効果】
【００１１】
本発明によれば、帳票イメージを参照して行うデータ入力を容易にすることができる。
【図面の簡単な説明】
【００１２】
【図１】本発明の実施形態に係るデータ入力システムの概略構成図である。
【図２】本発明の実施形態に係るデータ入力装置の機能構成図である。
【図３】本発明の実施形態に係るデータ入力システムにおけるエントリ操作のフローチャートの例示である。
【図４】為替取引を処理するための取引画面の例示である。
【図５】為替取引を処理するための取引画面の例示である。
【図６】為替取引を処理するための取引画面の例示である。
【図７】為替取引を処理するための取引画面の例示である。
【図８】為替取引を処理するための取引画面の例示である。
【図９】為替取引を処理するための取引画面の例示である。
【図１０】為替取引を処理するための取引画面の例示である。
【発明を実施するための形態】
【００１３】
以下、本発明を実施するための形態を、適宜図面を参照しながら詳細に説明する。各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１４】
≪実施形態に係るデータ入力システムの構成≫
図１を参照して、実施形態に係るデータ入力システムの構成を説明する。図１は、実施形態に係るデータ入力システムの概略構成図である。
【００１５】
データ入力システムは、帳票を撮影した帳票イメージを参照しながら人間がデータ入力を行うシステムである。データ入力システムは、帳票に記載される内容のデータ入力を行う様々な場面で使用することができる。
【００１６】
ここでは、図１に示すように、データ入力システムとして為替集中処理システム１を想定して説明する。為替集中処理システム１は、銀行等の金融機関における事務処理の削減や効率化を目的としてシステムであり、各営業店において多数発生する為替取引（例えば、振込手続き）を集中センタで集中的に処理するものである。
【００１７】
為替集中処理システム１は、主に、金融機関の営業店２と、営業店で発生した為替取引を集中的に処理する集中センタ３と、金融機関の本店４とで構成される。営業店２と集中センタ３、および、集中センタ３と本店４は、ネットワーク５，６を介して接続されている。
【００１８】
営業店２は、銀行等の金融機関の店舗や営業所であり、顧客からの為替取引を受け付ける場所である。ここでは、複数の営業店２を記載しているが、営業店２の数は特に限定されない。営業店２には、スキャナ２１と、スキャナＰＣ（Personal Computer）２２とが設置されており、行員がこれらの装置を操作する。
【００１９】
スキャナ２１は、振込依頼書等の帳票を読み取り、帳票イメージを作成する。ここでの帳票は、一枚の帳票に複数件の明細目（入力データ）が記載されている「連記式帳票」である。帳票イメージは、表示手段（例えば、ディスプレイ）に表示可能な画像データである。スキャナ２１は、スキャナＰＣ２２に接続されている。スキャナＰＣ２２は、ネットワーク５を介して集中センタ３に帳票イメージを送信する。
【００２０】
なお、スキャナＰＣ２２は、帳票イメージをＯＣＲ（Optical Character Recognition）認識した帳票データ（文字認識結果）を作成し、この帳票データを集中センタ３にさらに送信してもよい。ＯＣＲ認識により帳票データを作成した場合、帳票イメージを目視しながら帳票データを確認および修正することによりデータ入力を完了することができる。本実施形態では、データ入力を行う帳票がＯＣＲ認識できない帳票であることを想定し、帳票データを用いずに帳票イメージを目視しながらデータ入力する場合について説明する。ＯＣＲ認識できない帳票は、例えば企業が独自に作成した帳票（非定型帳票）である。
【００２１】
集中センタ３は、営業店２から離れた場所に設置された施設であり、営業店２で発生した為替取引（ここでは、振込手続き）を処理するためのデータを作成する。集中センタ３には、集配信サーバ３１と、為替サーバ３２と、少なくとも一つ（ここでは三つ）のエントリＰＣ３３と、自動発信ＰＣ３４とが設置されている。なお、集中センタ３は、図１に示す以外にも、為替取引以外の業務を進める上で必要になるサーバ（例えば、印鑑照合サーバ等）を備えていてもよい。
【００２２】
集配信サーバ３１は、営業店２から受信したデータを集中センタ３内に設置されているサーバに振り分ける装置である。本実施形態では、為替取引を想定して説明しているので、集配信サーバ３１は、為替取引に関する帳票イメージをスキャナＰＣ２２から受信し、為替サーバ３２にこのデータを送信する。
【００２３】
為替サーバ３２は、為替取引のデータ作成に関連する処理を行う装置である。為替サーバ３２は、集配信サーバ３１から帳票イメージを受信し、これらの情報をデータベース（図示せず）に登録する。
【００２４】
エントリＰＣ３３は、集中センタ３のオペレータによって操作され、為替取引を処理するためのデータを作成する。エントリＰＣ３３の数は特に限定されるものではなく、集中センタ３に少なくとも１つのエントリＰＣ３３があればよい。ここでは、エントリ・ベリファイ方式でデータ入力を行った後に、さらに登録した内容の承認を行うことを想定しているので、３つのエントリＰＣ３３が存在する。エントリ・ベリファイ方式とは、入力操作を複数人で行うものであり、正確かつ確実に為替取引の登録をすることが可能になる。以下では、最初のデータ入力用（エントリ用）のエントリＰＣ３３を「エントリＰＣ３３Ａ」で表し、二回目のデータ入力用（ベリファイ用）のエントリＰＣ３３を「エントリＰＣ３３Ｂ」で表し、三回目のデータ入力用（承認用）のエントリＰＣ３３を「エントリＰＣ３３Ｃ」で表す場合がある。なお、エントリＰＣ３３Ａ，３３Ｂ，３３Ｃの基本構成は同様である。
【００２５】
自動発信ＰＣ３４は、エントリＰＣ３３によって入力された入力データを、ネットワーク６を介して為替仕向け電文として本店４に送信する。
【００２６】
本店４は、営業店２で発生した為替取引の処理を行う施設である。本店４には、ホストコンピュータ４１が設置されている。ホストコンピュータ４１は、集中センタ３のエントリＰＣ３３で作成されたデータに基づいて為替取引の決算処理を行う。
【００２７】
≪実施形態に係るデータ入力システムの全体動作≫
図１を参照して、実施形態に係るデータ入力システムの全体動作を説明する。
【００２８】
営業店２の行員は、営業店窓口にて顧客から振込依頼書（帳票）を受け取り、内容をチェックした後、営業店に設置されているスキャナ２１に振込依頼書をセットする。そして、スキャナＰＣ２２を操作して振込依頼書の読取操作を行う。これにより、帳票である振込依頼書の帳票イメージが作成される。読取後、スキャナＰＣ２２は、振込依頼書（帳票）の帳票イメージを集配信サーバ３１に送信する（ステップＳ１）。
【００２９】
次に、集配信サーバ３１は、振込依頼書（帳票）の帳票イメージを為替サーバ３２に送信し（ステップＳ２）、為替サーバ３２は、帳票イメージをデータベースに登録する。
【００３０】
次に、為替サーバ３２は、データベースに登録されている帳票イメージをエントリ用のエントリＰＣ３３Ａに配信する（ステップＳ３）。これにより、エントリＰＣ３３Ａには帳票イメージが表示されるので、オペレータは、表示される帳票イメージを目視しながら為替取引のエントリ操作（データ入力）を行う。入力が完了した取引データは、為替サーバ３２のデータベース（図示せず）に登録される。
【００３１】
次に、為替サーバ３２は、データベースに登録されている帳票イメージをベリファイ用のエントリＰＣ３３Ｂに配信する（ステップＳ４）。これにより、エントリＰＣ３３Ｂには帳票イメージが表示されるので、オペレータは、表示される帳票イメージを目視しながら為替取引のベリファイ操作（データ入力）を行う。入力が完了した取引データは、為替サーバ３２のデータベース（図示せず）に登録される。
【００３２】
次に、為替サーバ３２は、エントリ操作とベリファイ操作の入力結果が不一致の場合、データベースに登録されている取引データおよび帳票イメージを承認用のエントリＰＣ３３Ｃに配信する（ステップＳ５）。これにより、エントリＰＣ３３Ｃには、入力した取引データの入力結果が不一致だった内容および帳票イメージが表示されるので、オペレータは、表示される帳票イメージを目視しながら為替取引の承認操作（確認やデータ入力）を行う。承認が完了した取引データは、為替サーバ３２のデータベース（図示せず）に登録される。
【００３３】
次に、自動発信ＰＣ３４は、為替サーバ３２のデータベースに登録されているベリファイ操作済または承認操作済の取引データを取得する（ステップＳ６）。そして、自動発信ＰＣ３４は、取得した取引データを為替仕向け電文としてホストコンピュータ４１に送信する（ステップＳ７）。ホストコンピュータ４１は、送信された為替仕向け電文に基づいて、為替取引の決済処理を行う。このような流れで、振込の取引が完結する。
【００３４】
≪実施形態に係るデータ入力装置の構成≫
次に、図２を参照して、データ入力装置であるエントリＰＣ３３の構成を説明する。ここでは、エントリ用のエントリＰＣ３３Ａを例示し、エントリ操作に関連する機能を中心に説明を行う。図２は、エントリＰＣ３３Ａの機能構成図である。
【００３５】
エントリＰＣ３３Ａは、主に、表示部１０１と、入力部１０２と、通信部１０３と、制御部１０４とを備える。
【００３６】
表示部１０１は、例えば、ディスプレイであり、エントリ操作に関連する種々の情報（帳票イメージを含む）を表示する。
【００３７】
入力部１０２は、例えば、マウス、キーボード、ディスプレイの表面に積層されるタッチパネルなどである。入力部１０２は、エントリ操作に関連する種々の情報（取引データを含む）の入力を受け付ける。
【００３８】
通信部１０３は、例えば、通信インタフェースであり、通信回線を介して為替サーバ３２との間で通信を行う。
【００３９】
制御部１０４は、ＣＰＵ（Central Processing Unit）によるプログラムの実行処理や、専用回路等により実現される。制御部１０４がプログラムによって実現される場合、そのプログラムをコンピュータによる読み取り可能な記録媒体（例：ＣＤ−ＲＯＭ）に記憶して提供することができる。また、そのプログラムを、インターネットなどのネットワークを通して提供することもできる。
【００４０】
制御部１０４は、ガイドバー配置部１０４ａと、イメージ回転部１０４ｂと、エントリ制御部１０４ｃと、ガイドバー移動部１０４ｄと、を備える。ここでは、各機能の処理の概要を説明し、処理の詳細は後記する動作の説明で行う。
【００４１】
ガイドバー配置部１０４ａは、帳票イメージ上にデータ入力用のガイドバーを重ねて配置する。ガイドバーは、オペレータによるデータ入力を補助するものであればよく、例えば、入力対象の情報を強調するものである。ガイドバー配置部１０４ａは、オペレータの指示によって、配置したガイドバーの位置調整や角度調整を行う。
【００４２】
イメージ回転部１０４ｂは、ガイドバーを重ねて表示した帳票イメージをガイドバーと共に回転する。イメージ回転部１０４ｂは、例えば、ガイドバーが水平になるように帳票イメージを回転させる。
【００４３】
エントリ制御部１０４ｃは、オペレータによるデータ入力を制御する。エントリ制御部１０４ｃは、例えば、データの入力領域を表示する。
【００４４】
ガイドバー移動部１０４ｄは、ある明細目のデータ入力が完了した場合に、次に入力対象となる明細目の位置にガイドバーを移動させる。
【００４５】
≪実施形態に係るデータ入力システムにおけるエントリ操作≫
図３を参照して（適宜、図１および図２参照）、実施形態に係るデータ入力システムにおけるエントリ操作（図１のステップＳ３）を説明する。図３は、実施形態に係るデータ入力システムにおけるエントリ操作のフローチャートの例示である。
【００４６】
最初に、エントリＰＣ３３Ａは、為替サーバ３２から帳票イメージを取得し、為替取引を処理するための取引画面２００（図４参照）を表示部１０１に表示する（ステップＳ１１）。集中センタ３のオペレータは、取引画面２００を用いて為替取引に関する情報を入力する。図４に示す取引画面２００は、振込手続きに関する画面である。
【００４７】
図４に示す取引画面２００は、主に、第一操作領域２０１と、データ入力領域２０２と、イメージ表示領域２０３と、第二操作領域２０４と、を有する。
【００４８】
第一操作領域２０１には、エントリ操作全般に関するボタンが設けられている。
データ入力領域２０２には、データ入力を行うための項目（欄）が設けられている。
イメージ表示領域２０３には、データ入力を行う際に参照する帳票イメージが表示される。図４には、振込依頼書の帳票イメージが表示されている。ここでの振込依頼書は、連記式帳票を想定しているので、複数の明細目を有する。各明細目は、縦に連続して並べられており、横長の四角形を呈する枠２０３ａ（図４の破線で強調している部分）によって領域が区切られている。
第二操作領域２０４には、取引イメージを操作するためのボタンが設けられている。
【００４９】
次に、集中センタ３のオペレータは、第一のガイドバー３０３（図６参照）を設定するための基準点を指定する（ステップＳ１２）。オペレータは、例えば、取引画面２００のガイド設定ボタン２０１ａ（図４参照）を押下し、取引画面２００に表示された帳票イメージの第一の明細目（最上部の明細目）の左上頂点を指定する。これにより、図５に示すように、ガイドバー配置部１０４ａは、オペレータによって指定された位置（ここでは、第一の明細目の左上頂点）にマーク３０１（ここでは、三角形）を帳票イメージに重ねて表示する。同様に、オペレータは、取引画面２００に表示された帳票イメージの第一の明細目（最上部の明細目）の右上頂点を指定し、ガイドバー配置部１０４ａは、オペレータによって指定された位置（ここでは、第一の明細目の右上頂点）にマーク３０２（図６参照）を帳票イメージに重ねて表示する。
【００５０】
マーク３０１，３０２は、指定された位置をオペレータに示すものであればよく、形状、サイズ、色などは特に限定されない。なお、マーク３０１，３０２を表示しなくてもよい。
【００５１】
次に、ガイドバー配置部１０４ａは、オペレータによって指定された二つの指定位置（ここでは、第一の明細目の左上頂点および右上頂点）を結ぶように第一のガイドバー３０３（図６参照）を帳票イメージに重ねて表示する（ステップＳ１３）。
【００５２】
第一のガイドバー３０３は、オペレータによって指定された位置（ここでは、第一の明細目の左上頂点および右上頂点）を結ぶ線を示すものであればよく、形状、サイズ、色などは特に限定されない。ここでの第一のガイドバー３０３は、オペレータによって指定された位置（ここでは、第一の明細目の左上頂点および右上頂点）を結ぶ線を下辺とする横長の長方形である。短辺の長さは、明細目の枠２０３ａ（図４参照）の上下方向の幅と同じである。また、第一のガイドバー３０３は、帳票と区別可能な色（例えば、赤やピンクなど）であるとともに半透明であり、第一のガイドバー３０３が重なった帳票イメージの内容を読めるようになっている。なお、第一のガイドバー３０３は、塗りつぶされていてもよい。
【００５３】
次に、集中センタ３のオペレータは、第二のガイドバー３０６（図８参照）を設定するための基準点を指定する（ステップＳ１４）。ここでは、オペレータは、取引画面２００に表示された帳票イメージの第一の明細目（最上部の明細目）の左下頂点を指定する。これにより、図７に示すように、ガイドバー配置部１０４ａは、オペレータによって指定された位置（ここでは、第一の明細目の左下頂点）にマーク３０４（ここでは、三角形）を帳票イメージに重ねて表示する。同様に、オペレータは、取引画面２００に表示された帳票イメージの第一の明細目（最上部の明細目）の右下頂点を指定し、ガイドバー配置部１０４ａは、オペレータによって指定された位置（ここでは、第一の明細目の右下頂点）にマーク３０５（図８参照）を帳票イメージに重ねて表示する。
【００５４】
次に、ガイドバー配置部１０４ａは、オペレータによって指定された二つの指定位置（ここでは、第一の明細目の左下頂点および右下頂点）を結ぶように第二のガイドバー３０６（図８参照）を帳票イメージに重ねて表示する（ステップＳ１５）。
【００５５】
第二のガイドバー３０６は、オペレータによって指定された位置（ここでは、第一の明細目の左下頂点および右下頂点）を結ぶ線を示すものであればよく、形状、サイズ、色などは特に限定されない。ここでの第二のガイドバー３０６は、オペレータによって指定された位置（ここでは、第一の明細目の左下頂点および右下頂点）を結ぶ線を上辺とする横長の長方形である。短辺の長さは、明細目の枠２０３ａ（図４参照）の上下方向の幅と同じである。また、第二のガイドバー３０６は、帳票と区別可能な色（例えば、赤やピンクなど）であるとともに半透明であり、第二のガイドバー３０６が重なった帳票イメージの内容を読めるようになっている。なお、第二のガイドバー３０６は、塗りつぶされていてもよい。
【００５６】
次に、集中センタ３のオペレータは、取引画面２００の補正ボタン２０４ａ（図４参照）を押下し、イメージ回転部１０４ｂは、補正ボタン２０４ａの押下をトリガーとして、ガイドバー３０３，３０６を重ねて表示している帳票イメージをガイドバー３０３，３０６と共に回転する（ステップＳ１６）。補正ボタン２０４ａの押下は、ガイドバー３０３，３０６の配置の完了指示の一例である。イメージ回転部１０４ｂは、第二のガイドバー３０６の配置を行った後（つまり、第二のガイドバー３０６を設定するための基準点を指定された後）に帳票イメージを自動で回転させてもよい。そして、イメージ回転部１０４ｂは、ガイドバー３０３，３０６と共に回転した帳票イメージを新たな画像として記憶し、再表示する（図９参照）。イメージ回転部１０４ｂは、回転前における第一のガイドバー３０３と第二のガイドバー３０６との間隔を、回転した後でも保持するように回転させる。つまり、帳票イメージに対する第一のガイドバー３０３および第二のガイドバー３０６の位置は、回転前後で同じである。なお、マーク３０４，３０５は、ガイドバー３０３，３０６に吸収されて一体となって表示されるのがよい（図９参照）。
【００５７】
イメージ回転部１０４ｂは、例えば、オペレータによって指定された四つの指定位置（ここでは、第一の明細目の左上頂点、右上頂点、左下頂点および右下頂点）の何れかを回転支点とし、ガイドバー３０３，３０６が水平になるように帳票イメージを回転する。ガイドバー３０３，３０６は、各明細目の枠２０３ａ（図４参照）の上辺や下辺に対して平行になっている。そのため、ガイドバー３０３，３０６が水平になるように帳票イメージを回転することにより、各明細目についても水平になる。つまり、本実施形態では、帳票イメージを回転する回転方向および回転量を算出するためにガイドバー３０３，３０６を使用している。
【００５８】
なお、ここではガイドバー３０３，３０６を設定するために、オペレータによって四つの指定位置（ここでは、第一の明細目の左上頂点、右上頂点、左下頂点および右下頂点）が指定されていた。しかしながら、オペレータにより指定される指定位置の数や位置はここで説明したものに限定されない。例えば、第二のガイドバー３０６の配置に際し、オペレータにより左下頂点および右下頂点の何れかが指定され、ガイドバー配置部１０４ａは、指定された一点を通過するとともに第一のガイドバー３０３に対して平行になるように第二のガイドバー３０６を配置してもよい。
【００５９】
また、ガイドバー配置部１０４ａは、イメージ回転部１０４ｂによって帳票イメージを回転する前に、ガイドバー３０３，３０６の位置調整や角度調整を行うようにしてもよい。ガイドバー３０３，３０６の位置調整や角度調整を行うタイミングは特に限定されず、例えばオペレータにとって好適なタイミングで行われるのがよい。ここでは、ステップＳ１５で第二のガイドバー３０６を配置した後に位置調整や角度調整を行う場合を想定して説明する。
【００６０】
例えば、ガイドバー配置部１０４ａは、オペレータによるガイドバー３０３，３０６の位置調整指示を受け付けて、ガイドバー３０３，３０６の位置を調整する。具体的には、ガイドバー配置部１０４ａは、ガイドバー３０３，３０６の中央部付近を指定されることで位置調整するガイドバー３０３，３０６を決定し、次に指定される位置に決定したガイドバー３０３，３０６を移動させる。
【００６１】
また、ガイドバー配置部１０４ａは、オペレータによるガイドバー３０３，３０６の角度調整指示を受け付けて、ガイドバー３０３，３０６の角度を調整する。具体的には、ガイドバー配置部１０４ａは、ガイドバー３０３，３０６の一方の端部付近を指定されることで角度調整するガイドバー３０３，３０６および回転支点を他方の端部に決定し、次に指定される位置に指定した一方の端部を移動させる。
【００６２】
なお、ガイドバー３０３，３０６の角度調整において、オペレータにより何れか一方のガイドバー（例えば、第一のガイドバー３０３）の角度調整指示を受け付けた場合に、他方のガイドバー（例えば、第二のガイドバー３０６）についても一方のガイドバーに追随して角度調整するようにしてもよい。これは、第二のガイドバー３０６の配置に際し、第一のガイドバー３０３に対して平行になるように第二のガイドバー３０６を配置した場合に特に有効である。
【００６３】
なお、ガイドバー３０３，３０６を半透明にすることで、ガイドバー３０３，３０６の角度調整や位置調整が容易になるのでよい。
【００６４】
次に、集中センタ３のオペレータは、ガイドバー３０３，３０６（図９参照）が重ねて表示された帳票イメージを参照して、ガイドバー３０３，３０６によって上下を囲まれた情報（明細目）をデータ入力領域２０２に入力する（ステップＳ２１）。最初は、第一の明細目（最上部の明細目）の内容のデータ入力が行われる。
【００６５】
一つの明細目の全てのデータの入力が完了した場合、エントリ制御部１０４ｃは、入力された情報を記憶し、全ての明細目のデータ入力が完了したか否か（つまり、未入力の明細目があるか否か）を判定する（ステップＳ２２）。全ての明細目のデータ入力が完了した場合（ステップＳ２２で“Ｙｅｓ”）、エントリ制御部１０４ｃは、エントリ操作を完了し、入力されたデータを為替サーバ３２に送信する。
【００６６】
一方、全ての明細目のデータ入力が完了していない場合（ステップＳ２２で“Ｎｏ”）、エントリ制御部１０４ｃは、次の明細目の入力フィールドをデータ入力領域２０２に表示する。また、ガイドバー移動部１０４ｄは、次に入力する明細目の上下にガイドバー３０３，３０６を移動する（図１０参照）。ここでは、明細目の枠２０３ａ（図４参照）の幅が全て同じなので、ガイドバー移動部１０４ｄは、第一のガイドバー３０３と第二のガイドバー３０６との間隔分だけガイドバー３０３，３０６を下方向に移動する。つまり、第一のガイドバー３０３と第二のガイドバー３０６との間隔は、移動前後で同じである。
【００６７】
そして、処理をステップＳ２１に戻して、オペレータは、ガイドバー３０３，３０６によって上下を囲まれた情報（ここでは、第二の明細目）をデータ入力領域２０２に入力する（ステップＳ２１）。第三の明細目以降のデータ入力についても同様に、新たな入力フィールドの表示時にガイドバー３０３，３０６を下方向に移動させる。
【００６８】
ここでは、エントリ用のエントリＰＣ３３Ａにおけるエントリ操作を例示して説明したが、ベリファイ用のエントリＰＣ３３Ｂや承認用のエントリＰＣ３３Ｃでも同様である。つまり、ベリファイ用のエントリＰＣ３３Ｂや承認用のエントリＰＣ３３Ｃにも、帳票イメージにガイドバー３０３，３０６を重ねて表示することができる。その場合、ベリファイ用のエントリＰＣ３３Ｂや承認用のエントリＰＣ３３Ｃには、エントリ用のエントリＰＣ３３Ａで角度補正を行った後の状態の帳票イメージを表示するのがよい。
【００６９】
また、承認用のエントリＰＣ３３Ｃにおけるガイドバー３０３，３０６の移動に関して、エントリ操作とベリファイ操作とで入力結果が不一致の箇所を記憶しておき、不一致の箇所にガイドバー３０３，３０６を順次移動させるのがよい。
【００７０】
以上のように、実施形態に係る為替集中処理システム１およびエントリＰＣ３３は、傾いた帳票イメージに対応させてガイドバー３０３，３０６を傾けて配置する。そのため、ガイドバー３０３，３０６の傾きに応じた帳票イメージの傾き補正を行うことができるので、帳票イメージを参照して行うデータ入力が容易になる。
【００７１】
特に、実施形態では、帳票イメージに写る明細目の枠２０３ａ（図４参照）の上辺および下辺にガイドバー３０３，３０６を配置することで、ガイドバー３０３，３０６の傾きに応じた帳票イメージの傾き補正と、ガイドバー３０３，３０６の移動量の設定を一括で実施することができる。そのため、帳票イメージの傾き補正とガイドバー３０３，３０６指定の効率化を図ることができる。
【００７２】
［変形例］
以上、本発明の実施形態について説明したが、本発明はこれに限定されるものではなく、特許請求の範囲の趣旨を変えない範囲で実施することができる。実施形態の変形例を以下に示す。
【００７３】
実施形態では、二つのガイドバー３０３，３０６によって帳票の明細目の上下を囲んでいた。これにより、入力する明細目の内容を一目で把握することができ、データ入力がより容易になる。しかしながら、入力する明細目の強調の仕方はこれに限定されず、例えば、ガイドバーの形状を枠状にして入力する明細目の周囲を囲むようにしてもよい。また、第一のガイドバー３０３および第二のガイドバー３０６の何れかのみを用いて入力する明細目を強調してもよい。
【００７４】
また、実施形態では、各明細目のデータ入力が完了するごとにガイドバー３０３，３０６を下方に移動させていた。しかしながら、各明細目のデータ入力が完了するごとに第一のガイドバー３０３の幅が広がるようにしてもよい。つまり、入力が終わった領域を第一のガイドバー３０３で見えにくくするようにしてもよい（または、見えないようにしてもよい）。
【００７５】
なお、帳票が縦書きの場合、ガイドバー３０３，３０６を上下方向に配置し、ガイドバー３０３，３０６が垂直になるように帳票イメージを回転させてもよい。
【符号の説明】
【００７６】
１      為替集中処理システム（データ入力システム）
２      営業店
３      集中センタ
４      本店
３１    集配信サーバ
３２    為替サーバ
３３    エントリＰＣ（データ入力装置）
３４    自動発信ＰＣ
２００  取引画面
３０３，３０６  ガイドバー
【図１】
2020140293.tif 000003
【図２】
2020140293.tif 000004
【図３】
2020140293.tif 000005
【図４】
2020140293.tif 000006
【図５】
2020140293.tif 000007
【図６】
2020140293.tif 000008
【図７】
2020140293.tif 000009
【図８】
2020140293.tif 000010
【図９】
2020140293.tif 000011
【図１０】
2020140293.tif 000012